(57)【要約】【課題】  本発明では、装置全体の大型化や装置からの大きな騒音の発生を抑えつつ、吸引ポンプによる吸引の能力を上げることができる自動収尿装置を提供することを目的とする。【解決手段】  自動収尿装置１は、尿レシーバからチューブを介して送られてくる尿を溜めておくための回収容器１０と、この回収容器１０に着脱自在となる本体部２０とを有している。そして、この本体部２０内には、尿レシーバＲで受けた尿を吸引して回収容器１０まで搬送するための吸引ポンプとして、小型で大きな吸引力を発揮し、かつ、駆動音が静かであるといった特性を有したロータリポンプ２３が設けられている。【選択図】      図４
2006141987.tif 000002
【特許請求の範囲】
【請求項１】
尿レシーバからチューブを介して送られてくる尿を溜めておくための回収容器と、前記尿レシーバで受けた尿を吸引して回収容器まで搬送するための吸引ポンプとを備えた自動収尿装置であって、
前記吸引ポンプが、ロータリポンプであることを特徴とする自動収尿装置。
【請求項２】
請求項１に記載の自動収尿装置であって、
前記ロータリポンプを収容する本体部を有し、
前記本体部に対して前記回収容器が着脱自在に設けられていることを特徴とする自動収尿装置。
【請求項３】
請求項１または請求項２に記載の自動収尿装置であって、
前記本体部には、
少なくとも前記回収容器に溜まった尿の廃棄を促す情報を表示するための表示部が設けられていることを特徴とする自動収尿装置。
【請求項４】
請求項１から請求項３のうちの何れか１項に記載の自動収尿装置であって、
前記回収容器は、尿を吸収するための吸収剤が入った入れ物が取付自在となるように構成されていることを特徴とする自動収尿装置。
【請求項５】
尿レシーバからチューブを介して送られてくる尿を溜めておくための回収容器と、前記尿レシーバで受けた尿を吸引して回収容器まで搬送するための吸引ポンプとを備えた自動収尿装置であって、
前記吸引ポンプが、ロータリポンプであるとともに、
前記ロータリポンプを収容する本体部を有し、
前記ロータリポンプの端部に繋がるモータ部を、弾性部材を介して前記本体部に固定させたことを特徴とする自動収尿装置。
【発明の詳細な説明】
【技術分野】
【０００１】
本発明は、寝たきりの患者や老人などが排泄した尿を自動的に回収するための自動収尿装置に関するものである。
【背景技術】
【０００２】
近年、寝たきりの患者や老人などが排泄した尿を自動的に回収するための自動収尿システムが知られている。この自動収尿システムは、一般に、患者などの局部にオムツなどを介して装着された尿レシーバと、この尿レシーバにその一端が接続されるチューブと、このチューブの他端に接続される自動収尿装置とで主に構成されている。そして、この自動収尿装置としては、従来、尿レシーバからチューブを介して排出される尿を溜めておくための回収容器と、前記尿レシーバに溜まった尿を吸引して回収容器まで搬送するための吸引ポンプとを備えたものが知られている（例えば、特許文献１参照）。
【０００３】
【特許文献１】特開２０００−１５２９５３号公報
【発明の開示】
【発明が解決しようとする課題】
【０００４】
しかしながら、前記したような自動収尿装置では、一般に、吸引ポンプとしてダイヤフラムポンプが利用されているため、吸引の能力を上げようとするとポンプ自体が大型化してしまい、これにより自動収尿装置全体を大きくしなければならないといった問題があった。また、このようにポンプ自体を大型化することで、自動収尿装置（ポンプ）から発生する騒音も大きくなってしまうといった問題もあった。
【０００５】
そこで、本発明では、装置全体の大型化や装置からの大きな騒音の発生を抑えつつ、吸引ポンプによる吸引の能力を上げることができる自動収尿装置を提供することを目的とする。
【課題を解決するための手段】
【０００６】
前記課題を解決する本発明は、尿レシーバからチューブを介して送られてくる尿を溜めておくための回収容器と、前記尿レシーバで受けた尿を吸引して回収容器まで搬送するための吸引ポンプとを備えた自動収尿装置であって、前記吸引ポンプが、ロータリポンプであることを特徴とする。
【０００７】
ここで、「ロータリポンプ」とは、一対のロータを回転させることで、空気または液体を吸入側から吐出側へ連続して押し出すポンプであり、小型で大きな吸引力を発揮し、かつ、駆動音が静かであるといった特性を有している。
【０００８】
これによれば、小型で大きな吸引力を発揮するロータリポンプが、静かに駆動することで、尿が静かに回収容器内に回収されることとなる。
【発明の効果】
【０００９】
本発明によれば、小型で大きな吸引力を発揮し、かつ、駆動音が静かであるロータリポンプを吸引ポンプとして用いるので、自動収尿装置全体の大型化や装置からの大きな騒音の発生を抑えつつ、吸引ポンプによる吸引の能力を上げることができる。
【発明を実施するための最良の形態】
【００１０】
〔第１の実施形態〕
次に、本発明に係る自動収尿装置の第１の実施形態について、適宜図面を参照しながら詳細に説明する。参照する図面において、図１は本発明に係る自動収尿装置を備えた自動収尿システムを示す構成図であり、図２は第１の実施形態に係る自動収尿装置を示す斜視図（ａ）と、本体部と回収容器とを分解させた状態を示す分解斜視図（ｂ）である。図３は図２の自動収尿装置の内部構造を示す縦断面図であり、図４は図２の自動収尿装置の構成部品を示す分解斜視図である。図５は、図４の表示部を示す平面図である。
【００１１】
図１に示すように、自動収尿システムＳは、患者Ｍから排泄される尿を一時的に受けるためにオムツＤに装着される尿レシーバＲと、この尿レシーバＲで受けた尿をチューブＴを介して自動的に回収する自動収尿装置１とで主に構成されている。また、オムツＤ内には、患者Ｍから排泄される尿を検知するための尿センサＳ１と、患者Ｍから排泄される便を検知するための便センサＳ２とが設けられ、これらのセンサＳ１，Ｓ２で検知した信号は、自動収尿装置１に送信されるようになっている。なお、尿センサＳ１および便センサＳ２は、ともに水分を検知するセンサであり、設置場所に違いを持たせることで尿センサＳ１と便センサＳ２とに使い分けられている。
【００１２】
自動収尿装置１は、尿レシーバＲからチューブＴを介して送られてくる尿を溜めておくための回収容器１０と、尿レシーバＲで受けた尿を吸引して回収容器１０まで搬送するためのロータリポンプ２３（図４参照）を主に収容した本体部２０とを備えている。詳しくは、図２（ａ）に示すように、回収容器１０および本体部２０は、ともに中空の略円柱状に形成されており、本体部２０の側面に対して回収容器１０が着脱自在に設けられている。
【００１３】
回収容器１０は、図２（ｂ）に示すように、主に蓋部１１と、タンク部１２とで構成されている。
【００１４】
蓋部１１は、略有底円筒状に形成されており、その外周部の一部には、本体部２０の上部の外周形状に合致する逃げ部１１ａが形成されている。この逃げ部１１ａは、図３に示すように、段状に形成されている。また、蓋部１１内には、図４に示すように、回収パイプ１３、吸気パイプ１４、気液分離フィルタ１５およびＯリング１６が設けられている。
【００１５】
回収パイプ１３は、略Ｌ字状に形成されたパイプであり、その基端部１３ａが蓋部１１（詳しくは図３に示す逃げ部１１ａの縦壁部１１ｂに形成された開口部１１ｃ）に固定されることで、その先端部が垂下するようになっている。
吸気パイプ１４は、回収パイプ１３よりも垂下する部分が短く形成された略Ｌ字状のパイプであり、その基端部１４ａが蓋部１１（詳しくは図３に示す開口部１１ｃ）に固定されることで、その先端部が垂下するようになっている。
【００１６】
気液分離フィルタ１５は、液体の通過を阻止し、気体の通過のみを許容するフィルタであり、略円板状に形成されている。また、この気液分離フィルタ１５には、その適所に回収パイプ１３が挿通可能となる孔１５ａが形成されるとともに、その外周縁に蓋部１１側に突出する段部１５ｂが形成されている。そして、この段部１５ｂが、蓋部１１の下端縁に形成される環状の凹部１１ｄ（図３参照）に嵌合されることで、蓋部１１に気液分離フィルタ１５が固定されるようになっている。なお、この気液分離フィルタ１５の上方に、吸気パイプ１４の先端が開口するようになっており、これにより後記するロータリポンプ２３でタンク部１２内の空気を吸引したときに、タンク部１２内の水分が吸気パイプ１４内に入り込まないようになっている。
【００１７】
Ｏリング１６は、気液分離フィルタ１５の段部１５ｂと蓋部１１の凹部１１ｄとで形成される凹部内に嵌め込まれることで固定されるように、所定の径、所定の太さで形成されている。
【００１８】
タンク部１２は、所定の深さを有する略有底円筒状の部材であり、その側部に本体部２０側の後記する嵌合アーム３４のタンク嵌合部３４ｂを嵌合させるための嵌合凹部１２ａが二個所に形成されている。また、このタンク部１２の上端縁には、上端縁形成部材１７が設けられている。詳しくは、この上端縁形成部材１７は、図３に示すように、その下部に形成された凹部１７ａをタンク部１２の上端縁部に嵌合させることによって固定されている。そのため、タンク部１２をブロー成型することによってその上端縁が水平に形成されない、すなわち凸凹に形成された場合であっても、ブロー成型とは異なる方法できれいに成型された上端縁形成部材１７の水平な上端縁をタンク部１２の上端縁として利用することで、Ｏリング１６を均等に押圧してシール性を確実に保つことが可能となっている。なお、タンク部１２の材質としては、強度を得るためにポリカーボンを採用するのが望ましいが、適宜変更可能であることはいうまでもない。
【００１９】
なお、上端縁形成部材１７の上端縁部は、気液分離フィルタ１５の段部１５ｂと蓋部１１の凹部１１ｄとで形成される凹部内に着脱自在に嵌め込まれるようになっている。これにより、例えば尿を吸収するための吸収材が入った袋（入れ物）の開口端部を、上端縁形成部材１７と気液分離フィルタ１５の段部１５ｂとの間で挟み込んで支持することができる。すなわち、蓋部１１をタンク部１２の上端縁に嵌合させる構造である本実施形態に係る回収容器１０は、尿を吸収するための吸収剤が入った袋が取付自在となるように構成されている。そして、このように吸収剤が入った袋を回収容器１０に取り付けると、回収パイプ１３から排出されて落下してくる尿がタンク部１２の底に当たることで発生する音を抑えることが可能となるとともに、仮にタンク部１２が倒れたとしても尿がこぼれないといったメリットが得られる。さらに、吸収剤の袋に、吸収剤の他に消臭剤を入れた場合には、臭いも吸収することができる。
【００２０】
本体部２０は、その中心線に沿うように半分に割られた二つのハーフ２１，２２で構成され、その内部にロータリポンプ２３、振動吸収体２４、表示部２５および制御基板２６を備えている。なお、以下の説明では、便宜上、回収容器１０側のハーフ２１を「正面側ハーフ２１」とも呼び、その反対側のハーフ２２を「背面側ハーフ２２」とも呼ぶこととする。
【００２１】
正面側ハーフ２１には、その側面部の一部（下端から上端近傍までの部分）に、タンク部１２の最大外径と略同じ径で形成された逃げ凹部２１ａが形成されており、この逃げ凹部２１ａの下端には、タンク部１２を支持するための支持片２１ｂがタンク部１２側に向かって延出している。また、正面側ハーフ２１の上部は、その一部が着脱自在に構成された分割部２１ｃとなっており、この分割部２１ｃには、チューブＴ（図１参照）から排出された尿を回収パイプ１３へと誘導するための誘導パイプ２１ｄが設けられるとともに、センサＳ１，Ｓ２からの信号を制御基板２６に送信するための配線を通すための溝部２１ｅが形成されている。なお、溝部２１ｅは、実際には、正面側ハーフ２１に形成された溝部２１ｈに合致するようになっているため、配線の通り道は、正面側ハーフ２１の溝部２１ｈと背面側ハーフ２２とで形成されている。
【００２２】
また、正面側ハーフ２１の上部のうち前記した分割部２１ｃとは反対側の部分には、ロータリポンプ２３と吸気パイプ１４とを繋ぐ連絡パイプ２１ｆが設けられている。なお、この連絡パイプ２１ｆや誘導パイプ２１ｄの先端（タンク部１２側の端部）には、ゴム状の仲介部材２１ｇが取り付けられるようになっており、これにより、連絡パイプ２１ｆと吸気パイプ１４との接続部分や誘導パイプ２１ｄと回収パイプ１３との接続部分が気密に保たれるようになっている。
【００２３】
背面側ハーフ２２は、その上部が表示部２５を取り付けるための取付部２２ａとして形成されるとともに、その下部が乾電池３１を収容するための電池収容部２２ｂとして形成されている。具体的に、取付部２２ａは、上下二段に形成された板状部２２ｃに、表示部２５に相当する形状の切り欠き部２２ｄが形成されることによって構成されている。また、電池収容部２２ｂは、背面側ハーフ２２の側面を内方に凹ませることで形成されており、その内部には、複数の乾電池３１と、これらの乾電池３１と電気的に接続して、その電力をロータリポンプ２３、表示部２５および制御基板２６に供給するための電気接続部３２とが設けられている。そして、この電池収容部２２ｂの開口部は、カバー３３によって覆われるようになっている。
【００２４】
さらに、背面側ハーフ２２の略中央部には、平面視において略Ｕ字状に形成された嵌合アーム３４が設けられている。具体的に、この嵌合アーム３４は、背面側ハーフ２２と正面側ハーフ２１の両方を挟持するような略円筒状となる本体嵌合部３４ａを有するとともに、前記したタンク部１２の嵌合凹部１２ａと嵌合する略円柱状のタンク嵌合部３４ｂを有している。
【００２５】
ロータリポンプ２３は、その下端部に繋がるように一体に結合されたモータ部２３ｄによって内部の一対のロータを回転させることで、タンク部１２内の空気を吸引するポンプであり、小型で大きな吸引力を発揮し、かつ、駆動音が静かであるといった特性を有している。そして、このロータリポンプ２３は、その吸引口２３ａがゴム（弾性部材）２３ｂを介して連絡パイプ２１ｆに接続されるとともに、そのモータ部２３ｄがラバー状の振動吸収体（弾性部材）２４を介して本体部２０の側壁に接合されている（図３参照）。そのため、ロータリポンプ２３（上側のポンプ機構部と下側のモータ部２３ｄ）から発生する騒音や振動は、ゴム２３ｂや振動吸収体２４で吸収されることとなる。
【００２６】
表示部２５は、操作パネル２５ａと、スイッチ基板２５ｂとで構成されている。操作パネル２５ａは、図５に示すように、その表面に適宜文字が施されたシール状の部材であり、スイッチ基板２５ｂの上面に貼り付けられるようになっている。スイッチ基板２５ｂには、操作パネル２５ａに適宜施された文字に対応するスイッチや、表示窓、ランプなどが設けられている。そして、本実施形態に係る表示部２５は、具体的に、電源のＯＮ・ＯＦＦを示すランプ２５ｃ、尿を回収した回数を示す表示窓２５ｄ、尿センサの作動状態を示すランプ２５ｅ、便センサの作動状態を示すランプ２５ｆ、タンク部１２の交換時期を示すランプ２５ｇ、表示窓２５ｄに表示した回数をゼロに戻したり、前記した各ランプの点灯を消すためのリセットスイッチ２５ｈおよび手動でロータリポンプ２３を駆動させるための駆動スイッチ２５ｉを備えている。ここで、タンク部１２の交換時期を示すランプ２５ｇは、特許請求の範囲にいう「回収容器に溜まった尿の廃棄を促す情報」に相当し、本実施形態においては、タンク部１２に三回分の尿が回収されたときに点灯するように構成されている。
【００２７】
制御基板２６は、表示部２５から送信されてくる信号や、尿センサＳ１または便センサＳ２から送信されてくる信号に基づいて各種機器を制御するものである。具体的に、この制御基板２６は、尿センサＳ１から信号を受け取ると患者Ｍから尿が排泄されたと判断し、ロータリポンプ２３を所定時間だけ駆動させてタンク部１２内に尿を回収させる機能を有している。また、制御基板２６は、尿センサＳ１および便センサＳ２の両方から信号を受け取ると尿センサＳ１で検知した水分は便の水分であると（尿ではないと）判断して、ロータリポンプ２３を駆動させないようにする機能を有している。その他に、制御基板２６は、ロータリポンプ２３を所定時間駆動させる毎に前記表示窓２５ｄに表示する回数を増やす機能や、駆動スイッチ２５ｉからの信号を受けてロータリポンプ２３を駆動させる機能なども有している。
【００２８】
次に、本実施形態に係る自動収尿装置１の動作について図１および図３を参照して説明する。
図１に示すように、患者Ｍが尿を排泄すると、その尿の水分が尿センサＳ１で検知され、その信号が本体部２０に送信される。図３に示すように、本体部２０内の制御基板２６は、尿センサＳ１からの信号を受け取ると、ロータリポンプ２３を所定時間だけ駆動させる。
【００２９】
そして、ロータリポンプ２３の駆動によって、タンク部１２内の空気が気液分離フィルタ１５、吸気パイプ１４を介して吸引されると、タンク部１２内が減圧されることとなる。そして、このようにタンク部１２内が減圧されることによって、回収パイプ１３、誘導パイプ２１ｄ、チューブＴを介して尿レシーバＲからタンク部１２内へと尿が吸引されて回収される。
【００３０】
以上によれば、第１の実施形態において、次のような効果を得ることができる。
尿を吸引するためのポンプとして、小型で大きな吸引力を発揮し、かつ、駆動音が静かであるロータリポンプ２３を用いるので、自動収尿装置１全体の大型化や自動収尿装置１からの大きな騒音の発生を抑えつつ、尿を吸引する能力を上げることができる。
【００３１】
回収容器１０が本体部２０に対して着脱自在に設けられているので、簡単に尿の廃棄を行うことができる。また、回収容器１０内に吸収剤が入った袋を取り付けた場合は、尿を廃棄する際に袋ごと捨てればよいので、より簡単に尿の廃棄を行うことができる。
タンク部１２内に溜まった尿の廃棄を促す情報を表示するための表示部２５が本体部２０の上部に設けられているので、例えば看護人がタンク部１２にどれぐらいの尿が溜まったかを確認するために屈み込んでタンク部１２内を目視する必要がなくなるので、その分作業負担を軽減させることができる。
【００３２】
ロータリポンプ２３が、ゴム２３ｂおよび振動吸収体２４を介して本体部２０に取り付けられるので、駆動音の更なる低減を図ることができる。
ロータリポンプ２３は、気液分離フィルタ１５を介してタンク部１２内の空気を吸引するので、ロータリポンプ２３内に水分が入り込むことが気液分離フィルタ１５によって阻止され、ロータリポンプ２３の寿命を延ばすことができる。
【００３３】
尿の通り道となる誘導パイプ２１ｄを有する分割部２１ｃが、正面側ハーフ２１とは分離可能に設けられるので、本体部２０から分割部２１ｃを外して分割部２１ｃのみを洗浄することができる。そのため、本体部２０を洗浄する際において内部に浸入してくる水によってロータリポンプ２３が故障することがなくなり、ロータリポンプ２３の寿命を延ばすことができる。
【００３４】
以上、本発明は、前記第１の実施形態に限定されることなく、様々な形態で実施される。
第１の実施形態では、回収容器１０を平面視において略円状となるように形成したが、本発明はこれに限定されず、例えば図６に示すように、平面視において略楕円状となるように回収容器１０’を形成してもよい。また、このような略楕円状の回収容器１０’と第１の実施形態のような略円状の回収容器１０とを二つ用意することで、例えば容積が大きい方である回収容器１０’を夜用、容積が小さい方である回収容器１０を昼用として有効に使い分けることができる。なお、この際は、大きい回収容器１０’の容積を１．５Ｌ（リットル）程度とし、小さい回収容器１０の容積を１Ｌ（リットル）程度とするのが好ましい。
【００３５】
〔第２の実施形態〕
以下に、本発明に係る自動収尿装置の第２の実施形態について説明する。この実施形態は第１の実施形態の自動収尿装置１を変更したものなので、第１の実施形態と同様の構成要素については同一符号を付し、その説明を省略する。参照する図面において、図７は、第２の実施形態に係る自動収尿装置を本体部とタンク部とに分解した状態を示す分解斜視図（ａ）と、自動収尿装置の取っ手を引き出した状態を示す斜視図（ｂ）と、取っ手を押し込んだ状態を示す斜視図（ｃ）である。図８は、図７の自動収尿装置の構成部品を示す分解斜視図である。
【００３６】
図７（ａ）〜（ｃ）に示すように、自動収尿装置２は、第１の実施形態に係る蓋部１１の機能を兼ねる本体部４０と、第１の実施形態に係るタンク部１２と若干形状の異なるタンク部（回収容器）５０とを備えている。そして、本体部４０およびタンク部５０は、ともに略有底円筒状に形成されており、本体部４０の開口部に対してタンク部５０の開口部が着脱自在となるように構成されている。
【００３７】
図８に示すように、本体部４０の内部には、第１の実施形態と同様のロータリポンプ２３および制御基板２６が横向きに設けられるとともに、乾電池３１が設けられている。ここで、ロータリポンプ２３は、その吸引口２３ａ（図４参照）が下向きとなるように、振動吸収体２４を介して本体部４０に固定されている。すなわち、本実施形態の構造は、第１の実施形態のような連絡パイプ２１ｆや吸気パイプ１４を介さずに、ロータリポンプ２３でタンク部５０内の空気を直接吸引する構造となっている。
【００３８】
また、本体部４０の開口端には、第１の実施形態と同様の気液分離フィルタ１５およびＯリング１６が前記した構造と同じように固定されている（図３参照）。さらに、本体部４０の上壁４０ａは、水平面に対して斜めとなるように形成されており、この上壁４０ａには、第１の実施形態と同様の表示部２５を差し込んで固定させるための取付孔４０ｂが形成されるとともに、略Ｌ字状の回収パイプ４１を差し込んで固定させるためのパイプ取付孔４０ｃが形成されている。なお、回収パイプ４１は、本体部４０の上方から上壁４０ａと気液分離フィルタ１５とを貫通してタンク部５０内まで延びる長さで形成されている。
【００３９】
また、本体部４０の外周壁４０ｄには、取っ手４２を摺動自在に支持するための支持部４０ｅが形成されている。なお、取っ手４２は、略Ｕ字状に形成され、その両端部に内方へ向かって突出する爪部４２ａが形成されている。
【００４０】
タンク部５０には、その側面に取っ手５１が一体に形成されている。また、タンク部５０の開口端には、第１の実施形態に係る上端縁形成部材１７と略同形状となる上端縁形成部材５２が嵌め込まれるようになっている。なお、この上端縁形成部材５２には、第１の実施形態に係る上端縁形成部材１７とは異なり、本体部４０に取り付けられる取っ手４２の爪部４２ａを引っ掛けるための段部５２ａが形成されている。
【００４１】
以上、第２の実施形態によれば、次のような効果を得ることができる。
本体部４０を、タンク部５０に対する蓋としたので、自動収尿装置２全体の小型化を図ることができる。また、本実施形態の構造は、第１の実施形態のような連絡パイプ２１ｆや吸気パイプ１４を介さずに、ロータリポンプ２３でタンク部５０内の空気を直接吸引する構造となっているので、その分部品点数の削減を図ることができる。
【００４２】
本体部４０の上壁４０ａの表示部２５が備えられている部分が斜めに形成されているので、看護人は表示部２５を上方から覗き込むことなく、目線を少し下に落とすだけで見ることができる。
【００４３】
〔第３の実施形態〕
以下に、本発明に係る自動収尿装置の第３の実施形態について説明する。この実施形態は第１の実施形態の自動収尿装置１を変更したものなので、第１の実施形態と同様の構成要素については同一符号を付し、その説明を省略する。参照する図面において、図９は第３の実施形態に係る自動収尿装置を示す斜視図であり、図１０は図９の自動収尿装置の構成部品を示す分解斜視図である。また、図１１は、図９の自動収尿装置の内部構造を示す断面図である。
【００４４】
図９に示すように、自動収尿装置３は、本体部６０と、タンク部７０と、本体部６０およびタンク部７０の蓋となる共用蓋部８０と、タンク部７０を上下に昇降させるための昇降機構９０とを備えている。
【００４５】
図１０に示すように、本体部６０は、正面側ハーフ６１と背面側ハーフ６２とに分割されており、その内部にロータリポンプ２３（振動吸収体２４も含む）、制御基板２６を備えている。
【００４６】
正面側ハーフ６１は、その上部に後記するフィルタ収容部６３およびパッキン６４を支持するためのリング状の土台６１ａが形成されるとともに、その正面側（タンク部７０側）にタンク部７０を挟み込むように配設されることでタンク部７０の倒れを防止するタンク保持部６１ｂが形成されている。
【００４７】
フィルタ収容部６３は、略ハット形状に形成される基部６３ａと、この基部６３ａのフランジ部分の外周縁から上方および外方へ向かってＬ字状に伸びるフランジ部６３ｂとで主に構成されており、そのフランジ部６３ｂが前記した土台６１ａの上面に固定されている。また、基部６３ａの上面（底面）には、その中心部に上方へ延びる筒状のパイプガイド部６３ｃが形成されるとともに、その適所に上方へ延びる筒状のパイプ接続口６３ｄが形成されている。なお、パイプガイド部６３ｃは、その上部が小径となるような段状に形成されており、この小径部分にＯリング６３ｅを取り付け、これらを後記する共用蓋部８０の回収パイプ接続部８１ｄに嵌合することで、その嵌合部分からタンク部７０内の空気が外部に漏れないように構成されている。また、基部６３ａの内部には、脱臭フィルタ６５、気液分離フィルタ６６およびフィルタ支持部６７がキャップ６８によって固定されている。
【００４８】
脱臭フィルタ６５は、タンク部７０内に収容した尿の臭いを吸収するスポンジ状のフィルタであり、リング状に形成されている。
気液分離フィルタ６６は、リング状に形成される基部６６ａと、この基部６６ａの周方向に沿って複数形成される孔を塞ぐように貼られた気液分離膜６６ｂとで構成されている。
【００４９】
フィルタ支持部６７は、リング状の底壁６７ａの内周縁および外周縁から上方へフランジ６７ｂ，６７ｃが延びるように形成された部材であり、底壁６７ａと二つのフランジ６７ｂ，６７ｃとで形成された凹部内に気液分離フィルタ６６および脱臭フィルタ６５が収容されるようになっている。なお、フィルタ支持部６７の底壁６７ａには、図示しない複数の孔（例えば、気液分離フィルタ６６の孔と同形状となる孔）が形成されており、これによりタンク部７０内の空気が気液分離フィルタ６６および脱臭フィルタ６５を通ってフィルタ収容部６３のパイプ接続口６３ｄに吸引されることが可能となっている。また、フィルタ支持部６７の外周面（フランジ６７ｃ）には凹部が形成されており、この凹部にＯリング６７ｄを取り付けた状態で、フィルタ支持部６７をフィルタ収容部６３の基部６３ａ（有底円筒状の部分）に嵌合することで、フィルタ支持部６７の外周面とフィルタ収容部６３の基部６３ａの内周面との間からの空気の漏れが防止されている。
【００５０】
キャップ６８は、円板状の把持部６８ａと、この把持部６８ａの中央部から上方に向かって突出する略円柱状の突出部６８ｂとを有している。突出部６８ｂは、その上部が小径となるように形成されており、この小径部分には、その中心に上下へ貫通するパイプガイド孔６８ｃが形成されるとともに、その外周面にフィルタ収容部６３の内面に設けられた係合部（図示せず）に引っ掛かる係合爪６８ｄが形成されている。そのため、フィルタ収容部６３にフィルタ支持部６７を嵌め込んだ後、このフィルタ支持部６７の内周面に沿ってキャップ６８を所定位置まで押し込んでから回動させることで、その係合爪６８ｄがフィルタ収容部６３内の前記係合部に引っ掛かってキャップ６８がフィルタ収容部６３に固定されることとなる。そして、このようにフィルタ収容部６３に固定されたキャップ６８は、フィルタ支持部６７の抜け止めとして機能することとなる。なお、キャップ６８の突出部６８ｂの外周面には凹部が形成されており、この凹部にＯリング６８ｅを取り付けた状態で、キャップ６８をフィルタ支持部６７の内周面に嵌合することで、キャップ６８の突出部６８ｂの外周面とフィルタ支持部６７の内周面との間からの空気の漏れが防止されている。
【００５１】
パッキン６４は、リング状に形成されたゴム製の部材であり、正面側ハーフ６１の土台６１ａの下面に固定されている。また、このパッキン６４の外径は、タンク部７０の上端部（後記する上端縁形成部材７１の上部）の内径より少し大きくなるように形成されており、これによりタンク部７０の上端部に密着するようになっている。なお、タンク部７０は後記で詳述するように回動しながら上昇してくるため、パッキン６４とタンク部７０とが密着する際にはこれらが擦れることとなる。そのため、パッキン６４の材質としては、耐久性が高い材料を選択するのが望ましい。
【００５２】
背面側ハーフ６２は、略半円筒状に形成されており、その背面側には、第１の実施形態と同様の電池収容部２２ｂが形成されている。そして、この電池収容部２２ｂには、第１の実施形態と同様に、乾電池３１、電気接続部３２およびカバー３３が設けられている。また、背面側ハーフ６２の内側には、ゴム部材６２ａを介してロータリポンプ２３の上部（上側のポンプ機構部）が固定されている。なお、このように固定されたロータリポンプ２３の吸引口２３ａには、Ｌ字状の吸引パイプ２３ｃの一端が接続されており、この吸引パイプ２３ｃの他端が前記したフィルタ収容部６３のパイプ接続口６３ｄに接続されている。また、ロータリポンプ２３の下側のモータ部２３ｄは、第１の実施形態と同様に、振動吸収体２４を介して本体部６０（正面側ハーフ６１）の側壁に固定されている。なお、第３の実施形態では、ロータリポンプ２３の上部と下部（モータ部２３ｄ）をともに弾性部材を介して本体部６０に固定させたが、本発明はこれに限定されず、第１の実施形態と同様にモータ部２３ｄのみを振動吸収体２４を介して本体部６０に固定させる構造としてもよい。
【００５３】
タンク部７０は、有底円筒状に形成されており、その開口端に上部が一段外側に広がるような形状の上端縁形成部材７１が設けられるとともに、その側面に取っ手７２が一体に形成されている。また、タンク部７０の下面には、後記する昇降機構９０の回動昇降台９１に対して相対回動不能に係合する係合部７３が形成されている。
【００５４】
共用蓋部８０は、基体８１と、透明蓋８２とで構成されている。
基体８１は、略有底円筒状に形成される本体側蓋部８１ａと、略有底円筒状に形成されるタンク用蓋部８１ｂとを有している。
【００５５】
本体側蓋部８１ａは、正面側ハーフ６１の上部背面側と背面側ハーフ６２の上部に嵌合するように構成されており、その上壁には表示部２５を取り付けるための取付孔８１ｃが形成されている。なお、本実施形態に係るスイッチ基板２５ｂ’は、板状に形成される点で第１の実施形態に係るスイッチ基板２５ｂとは異なるが、機能は同様となっている。また、本体側蓋部８１ａの上壁は、水平面に対して斜めとなるように形成されており、これにより、表示部２５が見やすくなるといった効果を奏する他、子供などが装置上に物を置くことができないようになっている。
【００５６】
タンク用蓋部８１ｂは、本体側蓋部８１ａよりも一段低く形成されており、前記したフィルタ収容部６３およびパッキン６４を覆うことが可能な深さで形成されている。また、タンク用蓋部８１ｂの上壁には、その中心部に上方へ突出する円筒状の回収パイプ接続部８１ｄが形成されるとともに、本体側蓋部８１ａの近傍に上方へ突出する円筒状のケーブル導入部８１ｅが形成されている。そして、回収パイプ接続部８１ｄには、チューブＴ（図１参照）内を流れる尿をタンク部７０内へと導くための回収パイプ８１ｆが接続されるとともに、ケーブル導入部８１ｅには、センサＳ１，Ｓ２（図１参照）と制御基板２６とを繋ぐケーブル８１ｇが挿入されるようになっている。
【００５７】
透明蓋８２は、タンク用蓋部８１ｂに対して着脱自在に取り付けられるものであり、その上壁には、前記した回収パイプ接続部８１ｄおよびケーブル導入部８１ｅを逃がすための孔８２ａ，８２ｂが形成されている。そして、このようにタンク用蓋部８１ｂに対して着脱自在となる透明蓋８２を設けることによって、回収パイプ８１ｆを洗浄するために共用蓋部８０から外した際に回収パイプ８１ｆから尿が垂れた場合であっても、透明蓋８２のみを外して洗うだけで済むようになっている。なお、透明蓋８２の上面は、その中心を頂点とする球面状に形成されており、これにより、子供などが装置上に物を置くことができないようになっている。
【００５８】
昇降機構９０は、回動昇降台９１と、この回動昇降台９１を回動昇降自在に支持するベース９２とを備えている。
回動昇降台９１は、円板状に形成される載置部９１ａと、この載置部９１ａの上面に形成される一対の回動支持部９１ｂと、載置部９１ａの下面に形成される四つの昇降用足部９１ｃ（三つのみ図示）とを備えている。
【００５９】
回動支持部９１ｂは、載置部９１ａの中心を挟んで対向するように形成されており、タンク部７０の係合部７３に対して相対回動不能に係合するように構成されている。ここで、係合部７３は、載置部９１ａの外周縁に沿った形状となる二つの曲面部７３ａと、回動支持部９１ｂの内面に対して平行に形成される二つの平面部７３ｂ（一つのみ図示）とを有した形状で形成されるとともに、回動支持部９１ｂの外面は、載置部９１ａの外周縁に沿った円弧状に形成されている。
【００６０】
昇降用足部９１ｃは、載置部９１ａの外周縁に沿うように曲げられた矩形の板状に形成されており、その周方向において対向する二つの辺のうち一方が斜めに形成され、他方が上下方向に平行となるように形成されている。また、四つの昇降用足部９１ｃは、周方向において等間隔で配設されるように形成されている。
【００６１】
ベース９２は、本体部６０の下部が嵌め込まれる本体取付部９２ａと、回動昇降台９１を収容する台収容部９２ｂとを備えている。
【００６２】
本体取付部９２ａは、有底筒状に形成されており、その背面側の側壁には、図示しないＡＣアダプタのプラグが差し込まれるアダプタ接続部９２ｃを取り付けるための取付溝９２ｄが形成されている。なお、このアダプタ接続部９２ｃとの干渉を避けるために、背面側ハーフ６２の下部には溝や孔が形成されている。
【００６３】
台収容部９２ｂは、有底円筒状に形成されており、その底壁の周縁に、回動昇降台９１の昇降用足部９１ｃに係合する四つのカム台９２ｅ（二つのみ図示）が形成されている。このカム台９２ｅは、回動昇降台９１の各昇降用足部９１ｃの間に形成される空間を埋めるような形状で形成されている。これにより、各昇降用足部９１ｃが各カム台９２ｅの間に位置するときには回動昇降台９１上のタンク部７０が最下方に位置し、その状態からタンク部７０とともに回動昇降台９１を右回りに回動させると、各カム台９２ｅの傾斜部に沿って回動昇降台９１が上昇していき、各カム台９２ｅの上面に各昇降用足部９１ｃが乗ったときにタンク部７０が最上方に位置するようになっている。
【００６４】
また、台収容部９２ｂの側壁の一部には、タンク部７０をスライドさせながら回動昇降台９１の溝内（一対の回動支持部９１ｂと載置部９１ａで形成される溝内）に挿入させるための挿入口９２ｆが形成されている。これにより、タンク部７０を挿入口９２ｆから挿入してから右回りに回動させることで、タンク部７０が上昇してタンク部７０の開口部がパッキン６４に密着されて尿を回収することが可能な状態となる。また、尿を廃棄する際においては、パッキン６４に密着した状態となっているタンク部７０を左回りに回動させて、挿入口９２ｆから引き出すことでタンク部７０を装置から取り外すことが可能となっている。
【００６５】
以上、第３の実施形態によれば、次のような効果を得ることができる。
昇降機構９０にタンク部７０を挿入して回動させるだけで簡単にセットができ、また、タンク部７０を回動させて引き抜くだけで簡単に取り外しを行うことができる。
【００６６】
本体側蓋部８１ａの上壁を斜めに形成するとともに、透明蓋８２の上面を球面状に形成することで、装置上に子供などがものを置くことができないようになっているので、装置上に載置される物の重みから装置を守ることができる。
気液分離フィルタ６６に利用する気液分離膜６６ｂは、リング状の基部６６ａに形成された細長い孔を塞ぐ分だけ用意すればよいので、高価な気液分離膜６６ｂが少量で済み、その分コストを低減することができる。
【図面の簡単な説明】
【００６７】
【図１】本発明に係る自動収尿装置を備えた自動収尿システムを示す構成図である。
【図２】第１の実施形態に係る自動収尿装置を示す斜視図（ａ）と、本体部と回収容器とを分解させた状態を示す分解斜視図（ｂ）である。
【図３】図２の自動収尿装置の内部構造を示す縦断面図である。
【図４】図２の自動収尿装置の構成部品を示す分解斜視図である。
【図５】図４の表示部を示す平面図である。
【図６】第１の実施形態に係る回収容器の容積を変更した変形例を示す分解斜視図である。
【図７】第２の実施形態に係る自動収尿装置を本体部とタンク部とに分解した状態を示す分解斜視図（ａ）と、自動収尿装置の取っ手を引き出した状態を示す斜視図（ｂ）と、取っ手を押し込んだ状態を示す斜視図（ｃ）である。
【図８】図７の自動収尿装置の構成部品を示す分解斜視図である。
【図９】第３の実施形態に係る自動収尿装置を示す斜視図である。
【図１０】図９の自動収尿装置の構成部品を示す分解斜視図である。
【図１１】図９の自動収尿装置の内部構造を示す断面図である。
【符号の説明】
【００６８】
１      自動収尿装置
１０    回収容器
１５    気液分離フィルタ
２０    本体部
２３    ロータリポンプ
２４    振動吸収体
２５    表示部
２６    制御基板
３４    嵌合アーム
Ｒ      尿レシーバ
Ｔ      チューブ
Ｓ１    尿センサ
Ｓ２    便センサ
【図１】
2006141987.tif 000003
【図２】
2006141987.tif 000004
【図３】
2006141987.tif 000005
【図４】
2006141987.tif 000006
【図５】
2006141987.tif 000007
【図６】
2006141987.tif 000008
【図７】
2006141987.tif 000009
【図８】
2006141987.tif 000010
【図９】
2006141987.tif 000011
【図１０】
2006141987.tif 000012
【図１１】
2006141987.tif 000013